(57)【特許請求の範囲】
【請求項１】
容器の出し入れ口の外周に設けた外ねじに螺合する内ねじを有して前記出し入れ口にねじ付けできるキャップ本体と、前記キャップ本体の天部下面にキャップ中心周りにして円状に配列された支持手段に係止する係止手段を有し前記出し入れ口に嵌め付けできる内栓とからなるキャップにおいて、
前記内栓は、断面形状が上方に向けて凸で湾曲している形状の底板部の周辺から上方に向けて立ち上がる外周部がテーパー状に広がって上面が開放された形状とされ、
内栓の前記底板部に設けられた前記係止手段が前記支持手段に係脱可能に係合し、前記内栓の下面には、前記底板部の中央より高さ位置が下位となる底板部の周辺側に一端が位置している摘み手段が設けられていることを特徴とするキャップ。
【発明の詳細な説明】
【０００１】
【発明の属する技術分野】
本発明は容器の出し入れ口、特にブロー成型容器の出し入れ口を塞ぐために用いるキャップに関するものである。
【０００２】
【発明が解決しようとする課題】
従来から、内容量が２０リットル程度で手提げなどの人手による取り扱いができる大きさの容器として、ブロー成型容器に代表される合成樹脂製の容器が多く利用されている。そして、このような合成樹脂製の容器では天部側に略筒状にして外周に外ネジを配した出し入れ口を位置させ、前記外ネジに螺合する内ネジを有したキャップによりその出し入れ口の開け閉めが行われており、キャップを例えば右回りに回転させるようにして出し入れ口にねじ付けることでその出し入れ口を閉じ、逆の方向に回転させることでキャップを外してその出し入れ口を開放するようにしている。
また、このように出し入れ口を開閉可能に覆うようにした容器の出し入れ口の閉鎖構造では、出し入れ口の内孔部分に嵌め付ける内栓を用いるようにしたものもあり、内栓を嵌め付けてから出し入れ口にキャップをねじ付けて出し入れ口の密閉状態を確実なものとし、そして、キャップを外した後に内栓を取り外すことで出し入れ口を開放するようにしている。
【０００３】
さらに、上述した内栓を用いる出し入れ口の閉鎖構造では、開け閉めの際にキャップと内栓とを別々に取り扱わなければならないことから、このキャップと内栓とを一組として扱えるようにしたものがある。この例を図３と図４に示している。図示するように、キャップ１は、容器の出し入れ口の外周にある外ネジにねじ付けできるように内ネジ２を有したキャップ本体３と、このキャップ本体３の内部に配置して前記出し入れ口に嵌め入れできる内栓４とからなり、前記キャップ本体３の天部の下面に設けた下端フック状の支持手段５に対して、前記内栓４におけるキャップ本体３の天部側となる上面に上端フック状とした係止手段６を設け、この係止手段６を支持手段５に係合させることでキャップ本体３と内栓４とが連結されるようにしている。
そして、この内栓４を内部に配置したキャップ１において、通常、キャップ本体３に対して内栓４が移動することのないように強固に一体化されているが、上記ブロー成型容器では、出し入れ口の中心と出し入れ口の内孔の中心とがズレた状態で成型されることがあり、出し入れ口に対して同心となっていない内孔に前記内栓４を適正に嵌め込みながらキャップ本体３をねじ付けるために、支持手段５に対して係止手段６がズレを許容する状態で係合しており、キャップ本体３の天部の面方向に内栓４が若干移動できるものとなっている。
【０００４】
しかしながら、内栓を移動可能な状態で連結させたキャップではつぎのような不都合があった。
即ち、キャップ本体に対して内栓が移動可能な状態にして連結されているため、そのキャップ本体と内栓との間は密閉されているものとはなっておらず、容器に液体を収容して振動が加わるような取り扱いを繰り返したり、液体の注ぎ出しを頻繁に繰り返してその注ぎ出しごとにキャップにて出し入れ口を閉じる操作を行なったりしている内に、内栓における容器側の下面やキャップ本体の内ネジに付着した液体が、その内栓とキャップ本体との間に回り込み、内栓におけるキャップ本体の天部側の上面に溜まることがある。また、収容物の液体が気化したものがキャップ本体と内栓との間の空間に入り込み、その後に気温変化などで凝縮して内栓の上面に溜まることもある。
【０００５】
そして、上述した内容量の比較的大きなブロー成型容器などでは、その利用形態として常に同一の内容物を収容するとは限らず、内栓の上面側に液体を残した状態のキャップを、別種の収容物を収めた容器の出し入れ口にねじ付けた場合に、キャップ側に残っていた液体が容器内に漏れ出て収容物を変質させる可能性がある。
また、繰り返しの使用を行なう内容量の大きい上記容器とキャップは、新たな使用の前に、先に収容していた収容物の残液を取り去るために洗浄を行なうようにしているが、やはり、この洗浄に使用する洗浄液がキャップ本体と内栓との間の空間に入ってしまい、一旦その間に入った洗浄液を取り出すことが非常に困難になるという問題が発生する。勿論、このキャップ側に残った洗浄液も容器の内容物側に漏れ出ると、その内容物を変質させる原因となる。
そこで、本発明は上記事情に鑑みてなされたもので、キャップ本体の内部に配置された内栓を必要時には容易に取り外すことができるようにすることを課題とし、キャップ本体と内栓との間に入り込んだ液体などの取り除きを容易に行なえるようにして、容器側に収容した収容物の変質や汚損を防止することを目的とする。
【０００６】
【課題を解決するための手段】
本発明は上記課題を考慮してなされたもので、容器の出し入れ口の外周に設けた外ねじに螺合する内ねじを有して前記出し入れ口にねじ付けできるキャップ本体と、前記キャップ本体の天部下面にキャップ中心周りにして円状に配列された支持手段に係止する係止手段を有し前記出し入れ口に嵌め付けできる内栓とからなるキャップにおいて、前記内栓は、断面形状が上方に向けて凸で湾曲している形状の底板部の周辺から上方に向けて立ち上がる外周部がテーパー状に広がって上面が開放された形状とされ、内栓の前記底板部に設けられた前記係止手段が前記支持手段に係脱可能に係合し、前記内栓の下面には、前記底板部の中央より高さ位置が下位となる底板部の周辺側に一端が位置している摘み手段が設けられていることを特徴とするキャップを提供して、上記課題を解消するものである。
【０００７】
【発明の実施の形態】
つぎに本発明を図１と図２に示す実施の形態に基づいて詳細に説明する。なお、図３と図４に示す従来例と構成が重複する部分は同符号を付してその説明を省略する。
図１に示すように本発明においては、内栓４は、断面形状が上方に向けて凸で湾曲している形状の底板部の周辺から上方に向けて立ち上がる外周部がテーパー状に広がって上面が開放された形状とされ、この内栓４の底板部に、キャップ本体３の支持手段５に係脱可能に係止する係止手段６を設けるとともに、摘み手段７を設けたものである。まず、前記支持手段５が、キャップ本体３の天部下面においてそれぞれキャップ中心から同じ距離に位置して円弧状に設けられてキャップ中心周りに円状に配列され、さらにこの支持手段５に対応するように係止手段６が円筒状に設けられていて（図３参照）、この円筒状部６ａの上端に設けたフック６ｂが支持手段５の下部下端のフック５ａに係脱可能に係止するように設けられている。
上記支持手段５のフック５ａと係止手段６のフック６ｂとの係合状態は強固に係止し合うものではなく、図１に示されているように、支持手段５のフック部分の内径が、前記係止手段６の円筒状部６ａの外径より大きく設定され、これにより内栓４がキャップ本体３の天部に対して相対移動できるようになり、また、フック同士が深く係止し合っていないことから支持手段５に対して係止手段６が係脱できるようになる。
【０００８】
また、上記摘み手段７は、図１と図２に示されているように内栓４の容器側となる下面であって内栓４の底板部の中央より高さ位置が下位となる底板部の周辺側に一端が位置して設けられており、指掛けできる孔８を有している。このように内栓４に摘み手段７が設けられて、かつ、キャップ本体３の支持手段５に内栓４の係止手段６が係脱可能に係止していることから、前記摘み手段７を持って内栓４とキャップ本体３とを互いに逆方向に引っ張るようにすれば、支持手段５と係止手段６との係合関係が切れて内栓４とキャップ本体３とが別々となり、それぞれを単独に洗浄することができるようになる。
内栓４をキャップ本体３に組み付けるには、内栓４の係止手段６をキャップ本体３の支持手段５に対応させるようにして内栓４をセットして押し込めばよく、この内栓４の簡単な押し込み操作で支持手段５と係止手段６とが係合してキャップ本体３と内栓４とが一体化される。
【０００９】
なお、本発明において、摘み手段は指掛けできる孔を有するものに限定されるものではない。
【００１０】
【発明の効果】
以上説明したように本発明のキャップによれば、容器の出し入れ口の外周に設けた外ねじに螺合する内ねじを有して前記出し入れ口にねじ付けできるキャップ本体と、前記キャップ本体の天部下面にキャップ中心周りにして円状に配列された支持手段に係止する係止手段を有し前記出し入れ口に嵌め付けできる内栓とからなるキャップにおいて、前記内栓は、断面形状が上方に向けて凸で湾曲している形状の底板部の周辺から上方に向けて立ち上がる外周部がテーパー状に広がって上面が開放された形状とされ、内栓の前記底板部に設けられた前記係止手段が前記支持手段に係脱可能に係合し、前記内栓の下面には、前記底板部の中央より高さ位置が下位となる底板部の周辺側に一端が位置している摘み手段が設けられていることを特徴とするものであることから、摘み手段を持って引っ張るという簡易な操作で内栓とキャップ本体とを別々にすることができ、キャップの使用中にキャップ本体と内栓との間に浸入して溜まった液体などの取り除きが簡単になって、洗浄も確実に行なえるようになり、キャップ本体と内栓との間に液体などを溜めることなくキャップを再使用の用途に提供できるなど、実用性に優れた効果を奏するものである。
【図面の簡単な説明】
【図１】本発明に係るキャップの実施の形態を断面で示す説明図である。
【図２】内栓の下面側を示す説明図である。
【図３】従来例を示す説明図である。
【図４】従来例を断面で示す説明図である。
【符号の説明】
１…キャップ
３…キャップ本体
４…内栓
５…支持手段
６…係止手段
５ａ…フック
６ａ…円筒状部
６ｂ…フック
７…摘み手段
【図１】
0004452365.tif 000002
【図２】
0004452365.tif 000003
【図３】
0004452365.tif 000004
【図４】
0004452365.tif 000005